【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
基体（４０６）と、容器の首部（１）のさらなるねじ手段（３）との相互作用に適するねじ手段（１３８）と、停止手段（６００）を備える開封表示手段（４０１）とを含み、前記停止手段（６００）が前記ねじ手段（１３８）のらせん手段に沿って提供され、前記ねじ手段（１３８）が互いに異なる第１ねじ部分手段（４０４）と第２ねじ部分手段（４０５）とを含み、前記停止手段（６００）が前記第２ねじ部分手段（４０５）を含んでいて、前記開封表示手段が不正開封防止用リング（４０１）を含み、分離用ライン（４０２）が前記不正開封防止用リング（４０１）と前記基体（４０６）の間に規定され、前記第１ねじ部分手段（４０４）が前記基体（４０６）に延在し、前記第２ねじ部分手段（４０５）が前記不正開封防止用リング（４０１）に延在していることを特徴とする、キャップ。
【請求項２】
前記第２ねじ部分手段（４０５）と前記第１ねじ部分手段（４０４）が、前記らせん手段の同一らせんに沿って延在していることを特徴とする、請求項１に記載のキャップ。
【請求項３】
空隙手段（４０７）が、前記第１ねじ部分手段（４０４）と前記第２ねじ部分手段（４０５）の間に介装されていて、
前記分離用ライン（４０２）が前記空隙手段（４０７）を横断し、前記第２ねじ部分手段（４０５）と前記第１ねじ部分手段（４０４）が前記分離用ライン（４０２）を基準として反対側に配置されることを特徴とする、請求項１または請求項２のいずれかに記載のキャップ。
【請求項４】
前記停止手段（６００）が、前記首部手段（１）と関連のある当接手段（７１）との相互作用に適する相殺的表面手段（４０８）を含み、
前記相殺的表面手段（４０８）が、前記キャップを前記首部（１）から離れさせる方向に沿って、意図された開封方向に対し横方向に配置されていることを特徴とする、請求項１〜請求項３のいずれか１項に記載のキャップ。
【請求項５】
前記停止手段が、互いに異なる複数の停止要素（６００）を含んでいることを特徴とする、請求項１〜請求項４のいずれか１項に記載のキャップ。
【請求項６】
前記ねじ手段（１３８）が互いに異なる複数のねじを含み、前記第２ねじ部分手段（４０５）が互いに異なる複数のねじ端部（４０５ａ、４０５ｂ、４０５ｃ）を含み、前記複数のねじの各ねじが前記複数のねじ端部の対応するねじ端部（４０５ａ、４０５ｂ、４０５ｃ）を含んでいることを特徴とする、請求項１〜請求項５のいずれか１項に記載のキャップ。
【請求項７】
基体（４０６）と、ねじ手段（１３８）と、停止手段（６００）を含む開封表示手段（４０１）とを備えるキャップ（１３５）を含み、前記クロージャー手段がさらなるねじ手段（３）を備える容器の首部（１）をさらに含んでいて、前記停止手段（６００）が前記ねじ手段（１３８）のらせん手段に沿って提供され、前記首部（１）から突出する当接手段（７１）と相互作用し、前記ねじ手段（１３８）が互いに異なる第１ねじ部分手段（４０４）と第２ねじ部分手段（４０５）とを含み、前記停止手段（６００）が前記第２ねじ部分手段（４０５）を含んでいて、前記開封表示手段が不正開封防止用リング（４０１）を含み、分離用ライン（４０２）が前記不正開封防止用リング（４０１）と前記基体（４０６）の間に規定され、前記第１ねじ部分手段（４０４）が前記基体（４０６）に延在し、前記第２ねじ部分手段（４０５）が前記不正開封防止用リング（４０１）に延在していることを特徴とする、クロージャー手段。
【請求項８】
前記第２ねじ部分手段（４０５）と前記第１ねじ部分手段（４０４）が、前記らせん手段の同一らせんに沿って延在していることを特徴とする、請求項７に記載のクロージャー手段。
【請求項９】
空隙手段（４０７）が、前記第１ねじ部分手段（４０４）と前記第２ねじ部分手段（４０５）の間に介装されていて、
前記分離用ライン（４０２）が前記空隙手段（４０７）を横断し、前記第２ねじ部分手段（４０５）と前記第１ねじ部分手段（４０４）が前記分離用ライン（４０２）を基準として反対側に配置されていることを特徴とする、請求項７または請求項８のいずれかに記載のクロージャー手段。
【請求項１０】
前記停止手段（６００）が、前記当接手段（７１）と相互作用するために配置される相殺的表面手段（４０８）を含み、
前記相殺的表面手段（４０８）が、前記キャップ（１３５）を前記首部（１）から離れさせる方向に沿って、意図された開封方向に対し横方向に配置されていることを特徴とする、請求項７〜請求項９のいずれか１項に記載のクロージャー手段。
【請求項１１】
前記停止手段が、互いに異なる複数の停止要素（６００）を含んでいることを特徴とする、請求項７〜請求項１０のいずれか１項に記載のクロージャー手段。
【請求項１２】
前記ねじ手段（１３８）が互いに異なる複数のねじを含み、前記第２ねじ部分手段（４０５）が互いに異なる複数のねじ端部（４０５ａ、４０５ｂ、４０５ｃ）を含み、前記複数のねじの各ねじが前記複数のねじ端部の対応するねじ端部（４０５ａ、４０５ｂ、４０５ｃ）を含んでいることを特徴とする、請求項７〜請求項１１のいずれか１項に記載のクロージャー手段。
【請求項１３】
前記当接手段（７１）が前記首部手段（１）から円周方向に延在していることを特徴とする、請求項７〜請求項１２のいずれか１項に記載のクロージャー手段。
【請求項１４】
前記当接手段（７１）が、前記さらなるねじ手段（３）より前記首部（１）の開口部（５）から遠く、
前記当接手段（７１）が、前記開口部（５）を基準として反対側の前記ねじ手段（３）から延在していることを特徴とする、請求項７〜請求項１３のいずれか１項に記載のクロージャー手段。
【請求項１５】
前記当接手段（７１）が、前記相殺的表面手段（４０８）と相互作用するために配置される作用表面手段（７２）を含み、
前記作用表面手段（７２）と前記相殺的表面手段（４０８）が前記キャップ手段（１３５）を前記首部手段（１）から離れさせる際に、前記開封表示手段（４０１）のブリッジ要素（４０３）の破壊を促進する剪断応力を生じさせるように形設されていることを特徴とする、請求項１０、あるいは請求項１１〜請求項１４のいずれか１項に記載のクロージャー手段。
【請求項１６】
前記当接手段（７１）が、前記作用表面手段（７２）を基準として横方向に配置されるさらなる作用表面手段（８２）を含み、
前記さらなる作用表面手段（８２）が前記キャップ手段（１３５）を前記首部手段（１）から離れさせる際に、前記開封表示手段（４０１）のブリッジ要素（４０３）の破壊を促進する牽引応力を生じさせるように形設されていることを特徴とする、請求項１５に記載のクロージャー手段。
【請求項１７】
前記さらなるねじ手段（３）が、前記キャップ手段（１３５）を前記首部手段（１）から離れさせる方向に沿って、意図された開封方向（Ｈ）に対し横方向に配置される面手段（７）を備える端部（６）を含んでいることを特徴とする、請求項７〜請求項１６のいずれか１項に記載のクロージャー手段。
【請求項１８】
前記当接手段が、互いに異なる複数の当接要素（７１）を含み、
及び／または、前記作用表面手段が互いに異なる複数の作用表面（７２）を有し、前記複数の当接要素の各当接要素（７１）が前記複数の作用表面の対応する作用表面（７２）を含み、
及び／または、前記さらなる作用表面手段が互いに異なる複数のさらなる作用表面（８２）を含み、前記複数の当接要素の各当接要素（７１）が前記複数のさらなる作用表面の対応するさらなる作用表面（８２）を含み、
及び／または、前記当接要素（７１）が、事実上、同一平面上に位置し、
及び／または、前記さらなるねじ手段（３）が複数のさらなるねじを含み、前記複数の当接要素の各当接要素（７１）が前記複数のさらなるねじの対応するさらなるねじと関連があることを特徴とする、請求項７〜請求項１７のいずれか１項に記載のクロージャー手段。
【請求項１９】
開封表示手段（１１；２３；２６；３０；３９；４０１）と、ねじ手段（３）を備える容器の首部手段（１）とを備えるキャップ手段（９；２２；２５；３５；１３５）を含み、前記開封表示手段（１１；２３；２６；３０；３９；４０１）との相互作用のために前記ねじ手段（３）のらせん手段に沿って、コントラスト手段（６；６ａ）が配置され、
前記開封表示手段が、前記コントラスト手段（６；６ａ）と相互作用するために配置される突出手段（１１；２３；１００；２６；３０）を含んでいて、前記分離用ライン手段（４４；４９；５６）に沿って前記キャップ手段（９；２２；２５）の本体（３７）から前記開封表示手段を分離させることを特徴とする、クロージャー手段。
【請求項２０】
キャップ手段（５；２２；２５；３５；１３５）をねじ込み可能なねじ手段（３）を備える首部手段（１）と、前記キャップ手段（５；２２；２５；３５；１３５）の開封表示手段（１１；２３；２６；３０；３９；４０１）との相互作用に適するコントラスト手段（６；６ａ）とを含んでいて、前記コントラスト手段（６；６ａ）が前記ねじ手段（３）のらせん手段に沿って提供され、前記開封表示手段（１１；２３；２６；３０；３９）と相互作用するために配置されるさらなるコントラスト手段（７１；７４；８４）をさらに含んでいることを特徴とする、容器手段。